【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】  電子機器が近接されたことを検出する検出手段と、
前記検出手段により前記電子機器が近接されたことが検出されたとき、前記電子機器の識別情報を取得する取得手段と、
前記識別情報に基づいて、前記電子機器と通信する通信手段と
を備えることを特徴とする情報処理装置。
【請求項２】  前記取得手段は、前記識別情報として、前記電子機器のネットワークのアドレスを取得する
ことを特徴とする請求項１に記載の情報処理装置。
【請求項３】  前記取得手段により取得された前記識別情報に基づいて、前記電子機器のネットワーク上のアドレスを検索する検索手段を
さらに備えることを特徴とする請求項１に記載の情報処理装置。
【請求項４】  前記取得手段は、前記電子機器が有するＲＦタグと通信して前記識別情報を取得するリーダライタを含む
ことを特徴とする請求項１に記載の情報処理装置。
【請求項５】  前記取得手段は、人体を介して前記電子機器と通信して前記識別情報を取得する
ことを特徴とする請求項１に記載の情報処理装置。
【請求項６】  前記電子機器との間で所定の処理を実行する実行手段を
さらに備えることを特徴とする請求項１に記載の情報処理装置。
【請求項７】  前記実行手段は、前記電子機器にデータを送信するか、または前記電子機器から送信されたデータを受信する
ことを特徴とする請求項６に記載の情報処理装置。
【請求項８】  電子機器が近接されたことを検出する検出ステップと、
前記検出ステップの処理により前記電子機器が近接されたことが検出されたとき、前記電子機器の識別情報を取得する取得ステップと、
前記識別情報に基づいて、前記電子機器と通信する通信ステップと
を含むことを特徴とする情報処理方法。
【請求項９】  電子機器が近接されたことを検出する検出ステップと、
前記検出ステップの処理により前記電子機器が近接されたことが検出されたとき、前記電子機器の識別情報を取得する取得ステップと、
前記識別情報に基づいて、前記電子機器と通信する通信ステップと
を含むことを特徴とするコンピュータが読み取り可能なプログラムが記録されている記録媒体。
【請求項１０】  情報処理装置に近接されたとき、自分自身の識別情報を前記情報処理装置に提供する提供手段と、
前記提供手段により前記識別情報を提供した後、前記情報処理装置と通信する通信手段と
を備えることを特徴とする電子機器。
【請求項１１】  前記提供手段は、前記識別情報として、ネットワーク上のアドレスを提供する
ことを特徴とする請求項１０に記載の電子機器。
【請求項１２】  前記提供手段は、前記情報処理装置が有するリーダライタと通信して前記識別情報を提供するＲＦタグを含む
ことを特徴とする請求項１０に記載の電子機器。
【請求項１３】  前記提供手段は、人体を介して前記情報処理装置と通信して前記識別情報を提供する
ことを特徴とする請求項１０に記載の電子機器。
【請求項１４】  前記情報処理装置との間で所定の処理を実行する実行手段を
さらに備えることを特徴とする請求項１０に記載の電子機器。
【請求項１５】  前記実行手段は、前記情報処理装置にデータを送信するか、または前記情報処理装置から送信されたデータを受信する
ことを特徴とする請求項１０記載の電子機器。
【請求項１６】  情報処理装置に近接されて使用される電子機器の情報処理方法において
前記情報処理装置に近接されたとき、自分自身の識別情報を前記情報処理装置に提供する提供ステップと、
前記提供ステップの処理により前記識別情報が提供された後、前記情報処理装置と通信する通信ステップと
を含むことを特徴とする情報処理方法。
【請求項１７】  情報処理装置に近接されて使用される電子機器のプログラムにおいて
前記情報処理装置に近接されたとき、自分自身の識別情報を前記情報処理装置に提供する提供ステップと、
前記提供ステップの処理により前記識別情報が提供された後、前記情報処理装置と通信する通信ステップと
を含むことを特徴とするコンピュータが読み取り可能なプログラムが記録されている記録媒体。
【請求項１８】  情報処理装置と、前記情報処理装置の上に配置され、使用される電子機器とからなる情報処理システムにおいて、
前記情報処理装置は、
前記電子機器が近接されたことを検出する検出手段と、
前記検出手段により前記電子機器が近接されたことが検出されたとき、前記電子機器の識別情報を取得する取得手段と、
前記識別情報に基づいて、前記電子機器と通信する第１の通信手段と
を備え、
前記電子機器は、
前記情報処理装置に近接された場合において、自分自身の識別情報を前記情報処理装置に提供する提供手段と、
前記提供手段により前記識別情報を提供した後、前記情報処理装置と通信する第２の通信手段と
を備えることを特徴とする情報処理システム。
【請求項１９】  第１の電子機器が近接されたことを検出する第１の検出手段と、
第２の電子機器が近接されたことを検出する第２の検出手段と、
前記第１の検出手段により前記第１の電子機器が近接されたことが検出されたとき、前記第１の電子機器の第１の識別情報を取得する第１の取得手段と、
前記第２の検出手段により前記第２の電子機器が近接されたことが検出されたとき、前記第２の電子機器の第２の識別情報を取得する第２の取得手段と、
前記第１の識別情報と前記第２の識別情報に基づいて、前記第１の電子機器と前記第２の電子機器が通信できるように制御する制御手段と
を備えることを特徴とする情報処理装置。
【請求項２０】  前記第１の取得手段と前記第２の取得手段は、前記第１の識別情報または前記第２の識別情報として、ネットワーク上のアドレスを取得する
ことを特徴とする請求項１９に記載の情報処理装置。
【請求項２１】  前記第１の識別情報または前記第２の識別情報に基づいて、前記第１の電子機器と前記第２の電子機器のネットワーク上のアドレスを検索する検索手段を
さらに備えることを特徴とする請求項１９に記載の情報処理装置。
【請求項２２】  前記第１の取得手段と前記第２の取得手段は、前記第１の電子機器と前記第２の電子機器が有するＲＦタグと通信して前記識別情報を取得するリーダライタを含む
ことを特徴とする請求項１９に記載の情報処理装置。
【請求項２３】  第１の電子機器が近接されたことを検出する第１の検出ステップと、
第２の電子機器が近接されたことを検出する第２の検出ステップと、
前記第１の検出ステップの処理により前記第１の電子機器が近接されたことが検出されたとき、前記第１の電子機器の第１の識別情報を取得する第１の取得ステップと、
前記第２の検出ステップの処理により前記第２の電子機器が近接されたことが検出されたとき、前記第２の電子機器の第２の識別情報を取得する第２の取得ステップと、
前記第１の識別情報と前記第２の識別情報に基づいて、前記第１の電子機器と前記第２の電子機器が通信できるように制御する制御ステップと
を含むことを特徴とする情報処理方法。
【請求項２４】  第１の電子機器が近接されたことを検出する第１の検出ステップと、
第２の電子機器が近接されたことを検出する第２の検出ステップと、
前記第１の検出ステップの処理により前記第１の電子機器が近接されたことが検出されたとき、前記第１の電子機器の第１の識別情報を取得する第１の取得ステップと、
前記第２の検出ステップの処理により前記第２の電子機器が近接されたことが検出されたとき、前記第２の電子機器の第２の識別情報を取得する第２の取得ステップと、
前記第１の識別情報と前記第２の識別情報に基づいて、前記第１の電子機器と前記第２の電子機器が通信できるように制御する制御ステップと
を含むことを特徴とするコンピュータが読み取り可能なプログラムが記録されている記録媒体。
【手続補正２】
【補正対象書類名】明細書
【補正対象項目名】０００９
【補正方法】変更
【補正の内容】
【０００９】
【課題を解決するための手段】
本発明の第１の情報処理装置は、電子機器が近接されたことを検出する検出手段と、検出手段により電子機器が近接されたことが検出されたとき、電子機器の識別情報を取得する取得手段と、識別情報に基づいて、電子機器と通信する通信手段とを備えることを特徴とする。
【手続補正３】
【補正対象書類名】明細書
【補正対象項目名】００１６
【補正方法】変更
【補正の内容】
【００１６】
本発明の第１の情報処理方法は、電子機器が近接されたことを検出する検出ステップと、検出ステップの処理により電子機器が近接されたことが検出されたとき、電子機器の識別情報を取得する取得ステップと、識別情報に基づいて、電子機器と通信する通信ステップとを含むことを特徴とする。
【手続補正４】
【補正対象書類名】明細書
【補正対象項目名】００１７
【補正方法】変更
【補正の内容】
【００１７】
本発明の第１の記録媒体は、電子機器が近接されたことを検出する検出ステップと、検出ステップの処理により電子機器が近接されたことが検出されたとき、電子機器の識別情報を取得する取得ステップと、識別情報に基づいて、電子機器と通信する通信ステップとを含むことを特徴とするコンピュータが読み取り可能なプログラムが記録されている。
【手続補正５】
【補正対象書類名】明細書
【補正対象項目名】００１８
【補正方法】変更
【補正の内容】
【００１８】
本発明の電子機器は、情報処理装置に近接されたとき、自分自身の識別情報を情報処理装置に提供する提供手段と、提供手段により識別情報を提供した後、情報処理装置と通信する通信手段とを備えることを特徴とする。
【手続補正６】
【補正対象書類名】明細書
【補正対象項目名】００２４
【補正方法】変更
【補正の内容】
【００２４】
本発明の第２の情報処理方法は、情報処理装置に近接されたとき、自分自身の識別情報を情報処理装置に提供する提供ステップと、提供ステップの処理により識別情報が提供された後、情報処理装置と通信する通信ステップとを含むことを特徴とする。
【手続補正７】
【補正対象書類名】明細書
【補正対象項目名】００２５
【補正方法】変更
【補正の内容】
【００２５】
本発明の第２の記録媒体は、情報処理装置に近接されたとき、自分自身の識別情報を情報処理装置に提供する提供ステップと、提供ステップの処理により識別情報が提供された後、情報処理装置と通信する通信ステップとを含むことを特徴とするコンピュータが読み取り可能なプログラムが記録されている。
【手続補正８】
【補正対象書類名】明細書
【補正対象項目名】００２６
【補正方法】変更
【補正の内容】
【００２６】
本発明の情報処理システムは、情報処理装置は、電子機器が近接されたことを検出する検出手段と、検出手段により電子機器が近接されたことが検出されたとき、電子機器の識別情報を取得する取得手段と、識別情報に基づいて、電子機器と通信する第１の通信手段とを備え、電子機器は、自分自身の識別情報を情報処理装置に提供する提供手段と、提供手段により識別情報を提供した後、情報処理装置と通信する第２の通信手段とを備えることを特徴とする。
【手続補正９】
【補正対象書類名】明細書
【補正対象項目名】００２７
【補正方法】変更
【補正の内容】
【００２７】
本発明の第２の情報処理装置は、第１の電子機器が近接されたことを検出する第１の検出手段と、第２の電子機器が近接されたことを検出する第２の検出手段と、第１の検出手段により第１の電子機器が近接されたことが検出されたとき、第１の電子機器の第１の識別情報を取得する第１の取得手段と、第２の検出手段により第２の電子機器が近接されたことが検出されたとき、第２の電子機器の第２の識別情報を取得する第２の取得手段と、第１の識別情報と第２の識別情報に基づいて、第１の電子機器と第２の電子機器が通信できるように制御する制御手段とを備えることを特徴とする。
【手続補正１０】
【補正対象書類名】明細書
【補正対象項目名】００３１
【補正方法】変更
【補正の内容】
【００３１】
本発明の第３の情報処理方法は、第１の電子機器が近接されたことを検出する第１の検出ステップと、第２の電子機器が近接されたことを検出する第２の検出ステップと、第１の検出ステップの処理により第１の電子機器が近接されたことが検出されたとき、第１の電子機器の第１の識別情報を取得する第１の取得ステップと、第２の検出ステップの処理により第２の電子機器が近接されたことが検出されたとき、第２の電子機器の第２の識別情報を取得する第２の取得ステップと、第１の識別情報と第２の識別情報に基づいて、第１の電子機器と第２の電子機器が通信できるように制御する制御ステップとを含むことを特徴とする。
【手続補正１１】
【補正対象書類名】明細書
【補正対象項目名】００３２
【補正方法】変更
【補正の内容】
【００３２】
本発明の第３の記録媒体は、第１の電子機器が近接されたことを検出する第１の検出ステップと、第２の電子機器が近接されたことを検出する第２の検出ステップと、第１の検出ステップの処理により第１の電子機器が近接されたことが検出されたとき、第１の電子機器の第１の識別情報を取得する第１の取得ステップと、第２の検出ステップの処理により第２の電子機器が近接されたことが検出されたとき、第２の電子機器の第２の識別情報を取得する第２の取得ステップと、第１の識別情報と第２の識別情報に基づいて、第１の電子機器と第２の電子機器が通信できるように制御する制御ステップとを含むことを特徴とするコンピュータが読み取り可能なプログラムが記録されている。
【手続補正１２】
【補正対象書類名】明細書
【補正対象項目名】００３３
【補正方法】変更
【補正の内容】
【００３３】
本発明の情報処理装置および方法、並びに記録媒体のプログラムにおいては、電子機器が近接されたことが近接されたとき、電子機器の識別情報が取得され、その識別情報に基づいて、電子機器とデータを授受するための通信のコネクションが確立される。
【手続補正１３】
【補正対象書類名】明細書
【補正対象項目名】００３４
【補正方法】変更
【補正の内容】
【００３４】
本発明の電子機器、その情報処理装置および記録媒体のプログラムにおいては、情報処理装置に近接されたとき、情報処理装置に識別情報が送信され、それに基づいて情報処理装置とデータを授受するための通信のコネクションが確立される。
【手続補正１４】
【補正対象書類名】明細書
【補正対象項目名】００３５
【補正方法】変更
【補正の内容】
【００３５】
本発明の第１の情報処理システムにおいては、情報処理装置は、近接された電子機器に対して、その識別情報の送信を要求し、電子機器は、その要求を受けたとき、自分自身の識別情報を情報処理装置に送信する。情報処理装置は、電子機器の識別情報に基づいて、電子機器等の間においてデータを授受する電話通信のコネクションを確立する。
【手続補正１５】
【補正対象書類名】明細書
【補正対象項目名】０１８８
【補正方法】変更
【補正の内容】
【０１８８】
【発明の効果】
以上の如く、本発明の第１の情報処理装置および方法、並びに記録媒体のプログラムによれば、近接された電子機器の識別情報を取得し、その識別情報に基づいて、電子機器と通信するようにしたので、電子機器と簡単かつ確実に、データを授受することが可能となる。
【手続補正１６】
【補正対象書類名】明細書
【補正対象項目名】０１８９
【補正方法】変更
【補正の内容】
【０１８９】
本発明の電子機器およびその情報処理方法、並びに記録媒体のプログラムによれば、情報処理装置に近接されたとき、電子機器の識別情報を情報処理装置に提供し、情報処理装置と通信するようにしたので、情報処理装置との間で、簡単かつ確実に、情報を授受することが可能となる。
【手続補正１７】
【補正対象書類名】明細書
【補正対象項目名】０１９０
【補正方法】変更
【補正の内容】
【０１９０】
本発明の情報処理システムによれば、電子機器が情報処理装置上に近接されたとき、情報処理装置により、電子機器の識別情報を取得し、その識別情報に基づいて、電子機器と情報処理装置との間で通信するようにしたので、情報処理装置と電子機器との間において、簡単かつ確実に、情報を授受することが可能となる。
【手続補正１８】
【補正対象書類名】明細書
【補正対象項目名】０１９１
【補正方法】変更
【補正の内容】
【０１９１】
本発明の第２の情報処理装置および方法、並びに記録媒体のプログラムによれば、第１の電子機器と第２の電子機器が近接されたとき、それぞれの識別情報を取得し、その識別情報に基づいて、第１の電子機器と第２の電子機器との間で通信できるようにしたので、第１の電子機器と第２の電子機器との間において、簡単かつ確実に、情報を授受させることが可能となる。